(57)【要約】      （修正有）【課題】草刈り作業に使用する刈刃において、水平な刈刃の一部分を上方向に湾曲させ、連続回転させた時に刃先が接地面に対し、上下に変動させることにより、ほぼ同時に近い力が繰り返される様に構成し、軽くスムーズな刈り取りが出来る動力付液状回転刈刃を提供する。【解決手段】円形水平な刈刃３に上から圧力を加え、中心から刃先に向かって緩やかな曲線のそり上がり４をつける。水平面に対するそり上がりは３〜７ミリ前後とする。これにより、連続回転させたときに刃先が波状の動きを繰り返し、軽くスムーズな刈り取りが出来るようになる。【選択図】図３
0003169146.tif 000002
【実用新案登録請求の範囲】
【考案の詳細な説明】
【技術分野】
【０００１】本考案は一般動力刃の安全性、作業効率性に関する。
【背景技術】
【０００２】従来の動力刃は先端刃形状に色々違いがあるが、ストレート刈刃が主流である。
【考案の開示】
【考案が解決しようとする課題】
【０００３】（従来の刈刃について説明する）
従来の刈刃は、図１にその垂直断面を示すとおり、回転中心から先端までがほぼ真っ直ぐ水平なので刃先の食い込み、小石の跳ね返りが多く、危険性が高いものであった。【０００４】以上に述べた今までの動力刈刃は、刈り取り能力が遅く危険性が高いものであった。
【課題を解決するための手段】
【０００５】本考案の刈刃は、図２に示す様に、従来の水平な刈刃の左右両端を上方向に少し曲げたもので、図３はそれを４５度回転させた場合に正面から見える図がである。
連続回転させた時にウェーブすることにより、持ち上げて刈る力と中間方向刃が、動力回転により、ほぼ同時に近い力が繰り返すことにより、軽くスムーズな刈り取りが出来る。【０００６】接地面に対しては、刈刃を軽く置き左右に動かすだけで刈り取りが楽に出来る。【０００７】又、接地面に対しては、同じ刃の位置で刈らないので、刈刃が数倍以上も長持ちする。【０００８】又、ウェーブ刃の先端が図２，図３に示す様に、水平に対する上方向の曲げが３ミリ〜７ミリの範囲内であれば刈刃の能力はほとんど変わらない。【０００９】又、刈刃が上下変動することにより、隙間感覚があるので、刈刃の中央に巻き付きがほとんどない。【００１０】次に刈刃がウェーブする事により、刃のぶれ、振動があると思われがちではあるが、円形中心軸回転なので、振動、ぶれは無いに等しい。
【考案の効果】以上に述べた様に、本考案のウェーブ刈刃は使用者に対して、安全性、刈り取りの軽さ、労力の短縮を追求した物を提供できる。
【図１】
0003169146.tif 000003
【図２】
0003169146.tif 000004
【図３】
0003169146.tif 000005
【手続補正書】
【提出日】平成22年8月16日(2010.8.16)
【手続補正２】
【補正対象書類名】実用新案登録請求の範囲
【補正対象項目名】全文
【補正方法】変更
【補正の内容】
【実用新案登録請求の範囲】
【請求項１】
本刈刃は、円形で平面の刈刃を成型時に上から圧力を加えて、ゆるく反り上がった面で成りたっている。曲面の付け方は、刈刃の円の直径に対して圧力を加えて、直径の左右２カ所に反り上がりをつける場合と、半径３カ所に１２０°ごとに圧力を加えて、３カ所の反り上がりを付ける場合、或いは３カ所を越える複数箇所にしても効果に変わりはない。刃先は下端から反り上がりの上端へと緩やかな曲線を描きながら回転し、頂点を過ぎると次の下端へと刃先の曲線は下降する。
この刃先を動力で回転させる動力付波状回転刈刃（動力ウェーブ刈刃）である。
【手続補正３】
【補正対象書類名】明細書
【補正対象項目名】全文
【補正方法】変更
【補正の内容】
【考案の詳細な説明】
【技術分野】
【０００１】本考案は一般的に流通している刈刃と比べ、安全性および作業効率の向上を達成可能とする。
【背景技術】
【０００２】現在流通している刈刃の形状は、円形平面のものが主流である。
【考案の開示】
【考案が解決しようとする課題】
【０００３】従来の刈刃は、図１にその垂直断面を示すとおり、刃の中心から先端までが水平であり、刃先が地面や雑草に食い込んだり、小石に当たって跳ね返ったりして、危険性が高いものであった。また、そのような事象は作業効率の低下を来していた。【０００４】刃先の破損を避けるため、コンクリートや石の近くに生えた草は従来刈り残されがちであった。
【課題を解決するための手段】
【０００５】本考案の刈刃は、図２に示す様に、水平な刈刃の一部分を上方向に湾曲させたものである。図３はそれを４５度回転させた場合に正面から見た図がである。
連続回転させた時に刃先が接地面に対し、上下に変動することにより、ほぼ同時に近い力が繰り返すことにより、軽くスムーズな刈り取りが出来る。【０００６】雑草を切断する刈刃の湾曲部下端は、小石等の障害物への接触が少ないため、切れ味が持続し、経済的効果が期待できる。【０００７】本考案の刈刃は、図２、図３が示すように中心部から刃先の先端部に向かっての湾曲の度合いが３ミリから７ミリ前後あれば、一般的な刈刃と比べ、刈り取り能力の点ですぐれた成果があげられる。【０００８】本考案の刈刃は草刈り作業の際、刃先が上下変動するので、一般的な刈刃に比べ、中央部への雑草の巻き付きが少ない。【０００９】刃先が石やコンクリートに当たって少々破損しても刈り取り能力はあまり変わらないので、縁石などの際に生えた草でも残すことなく刈り取れる。【００１０】本考案の刈刃は刃面の形状が一般的なそれと異なるが、刃のぶれや異常な振動を起こすことはない。
【考案の効果】
【００１１】以上に述べた様に、本考案のウェーブ刈刃は使用者に対して、安全性、刈り取りの軽さ、労力の短縮を追求した物を提供できる。
【図面の簡単な説明】
【００１２】
【図１】従来の円形で水平な刈刃の垂直断面図である。刃先の形状は省略している。
【図２】本考案の反り上がりを２カ所付けた場合の正面図である。水平な刈刃に上から圧力を加えて、中心から刃先に向かって緩やかな曲線のそり上がりをつけている。反り上がりは３ミリ以上７ミリ前後である。刃先の形状は省略。
【図３】図２を反時計回りに４５度回転させたときの正面図である。刃先の形状は省略している。
【手続補正書】
【提出日】平成22年11月29日(2010.11.29)
【手続補正１】
【補正対象書類名】実用新案登録請求の範囲
【補正対象項目名】全文
【補正方法】変更
【補正の内容】
【実用新案登録請求の範囲】
【請求項１】
本刈刃の形状は下端面と上端面で成り立っている。先端面、刃先は上端から下端、下端から上端へと緩やかな曲線を描きながら回転し、上端を過ぎると次の下端へと刃先の曲線は降下する。刈刃は円形ではなく、上端、下端、左右が同一円ではなく、楕円上下運動の繰返しを動力で回転させる事を特徴とする動力ウェーブ刈刃。
【手続補正２】
【補正対象書類名】明細書
【補正対象項目名】全文
【補正方法】変更
【補正の内容】
【考案の詳細な説明】
【技術分野】
【０００１】本考案は一般的に流通している動力刈刃と比べ、安全性および作業効率の向上を達成可能とするものである。
【背景技術】
【０００２】一般流通している刈刃の形状は、円形ストレートの物が主流である。
【考案の開示】
【考案が解決しようとする課題】
【０００３】従来の刈刃は、刈刃中央から先端までがストレートであり、刈刃が接地面や雑草に食い込んだり、石などに当たると小石が跳ね返ったりし、又、縁石や石などにあたり刃先が損傷すると、円形バランスがくるいやすく、振動や刃先のブレが出やすく危険性があった。また、そのような支障は作業効率の低下を来していた。【０００４】又、刈刃、刃先の損傷を避けるためコンクリートの縁石や石の近くに生えた雑草は残されがちである為、前途の欠点を解決しようとしたものである。
【課題を解決するための手順】
【０００５】本考案刈刃は円形の左右部分を上方向に湾曲させたもので、円形をそり上げる事により、刈刃は緩やかに楕円回転し、それを動力回転で変動を繰り返すことにより回転中心への雑草の巻き付きや刃先の食い込みも少なく、スムーズな刈り取りを可能とした。
【０００６】又、接触部に対しては摩耗刃、逃げ刃、切り刃があり、逃げ、切り刃は上端部に近づくほど刃先の損傷が少なくなり、縁石、コンクリート、石などの障害物にあたってもウェーブ楕円回転を繰り返すため、長期しようが可能である。
【０００７】雑草に限らず、切断したものに対しては、刈刃上下部に絶えず隙間、間隔が保たれているので、刈刃回転部に対しては負荷が少なく、軽くて作業効率性にずぐれている。
【０００８】又、刈刃、刃先全体が摩耗しても、刈刃先端部に凹凸が少しでもあれば、ウェーブ楕円回転が動力で瞬時に加わる為、新しい刈刃に匹敵する刈り取りが長期にわたり可能である。
【０００９】本考案の刈刃は、形状は一般的刈刃とは異なるが、緩やかな楕円ウェーブ形状である為、バランス感覚に優れ、刈刃が損傷しても異常な振動やブレを起こすことは少ない。
【考案の効果】
【００１０】以上に述べた本考案は、使用者に対して安全性、刈り取りの軽さ、労力の軽減と刈刃の長期使用を可能としたものであり、それを動力で回転させることを特徴とする動力ウェーブ刈刃。
【図面の簡単な説明】
【００１１】
【図１】本考案の動力ウェーブ刈刃の平面図である。図１、図２、図３とも楕円外周先端部につく刈刃の形状は省略している。
【図２】本考案の動力ウェーブ刈刃の正面図である。
【図３】図２の動力ウェーブ刈刃を反時計回りに４５度回転させたときの正面図である。
【符号の説明】
【００１２】▲１▼：刈刃中心の取りつけ穴
▲２▼：反り上がり面となる短径
▲３▼：ストレート面となる長径
▲４▼：反り上がりの頂点
▲５▼：楕円を示す
▲６▼：動力刈刃の反時計方向の回転を示す
【手続補正３】
【補正対象書類名】図面
【補正対象項目名】全図
【補正方法】変更
【補正の内容】
【図１】
0003169146.tif 000006
【図２】
0003169146.tif 000007
【図３】
0003169146.tif 000008
【手続補正書】
【提出日】平成23年3月23日(2011.3.23)
【手続補正１】
【補正対象書類名】実用新案登録請求の範囲
【補正対象項目名】全文
【補正方法】変更
【補正の内容】
【実用新案登録請求の範囲】
【請求項１】
円形刈刃において、平面視における左右部分を上方に湾曲させて楕円形状に形成したことを特徴とする動力ウェーブ刈刃。